(57)【要約】【課題】１つのコネクタを電池パックに接続するだけで、電池パックの二次電池から電力を出力させることのほか、二次電池の充電や放電制御等を行なうことができるようにする。【解決手段】電気コネクタは、コネクタ本体部、メイン端子及びサブ端子を備えている。コネクタ本体部は、電気機器の外面に略円柱形状の凹部として設けられたコネクタ挿込口に挿し込まれるものであり、略略円柱形状を有する。メイン端子は、コネクタ本体部の先端面中央部から突起するようにコネクタ本体部に保持されている。コネクタ本体部の先端面のメイン端子を中心とする円周上の位置において、先端面から突起するようにコネクタ本体部に保持されている。【選択図】  図１
2016213032.tif 000002
【特許請求の範囲】
【請求項１】
電気機器の外面に略円柱形状の凹部として設けられたコネクタ挿込口に挿し込まれる略略円柱形状のコネクタ本体部と、
前記コネクタ本体部の先端面中央部から突起するように前記コネクタ本体部に保持されたメイン端子と、
前記コネクタ本体部の先端面の前記メイン端子を中心とする円周上の位置において、前記先端面から突起するように前記コネクタ本体部に保持されたサブ端子と、を備えた電気コネクタ。
【請求項２】
前記コネクタ本体部は、該コネクタ本体部の中心軸と平行な方向に弾性変形し、前記メイン端子及び前記サブ端子をそれぞれ該コネクタ本体部の先端側へ付勢しながら支持する弾性部材を備え、前記メイン端子及び前記サブ端子の先端は、前記コネクタ本体部の中心軸と平行な方向に変位可能である請求項１に記載の電気コネクタ。
【請求項３】
前記コネクタ本体部は、前記メイン端子及び前記サブ端子が前記コネクタ挿込口の最奥面に押し付けられるまで前記コネクタ挿込口内に挿し込まれた状態で、その中心軸を中心に前記コネクタ挿込口とは相対的に回転したときに、前記コネクタ挿込口内に固定されるように構成されている請求項１又は２に記載の電気コネクタ。
【請求項４】
ケースと、
前記ケース内に収容された二次電池と、
前記ケース外面に略円柱形状の凹部として設けられ、請求項１から３のいずれか一項に記載の電気コネクタの前記コネクタ本体部を挿入させるコネクタ挿込口と、
前記コネクタ挿込口内の最奥部中央に設けられ、前記コネクタ挿込口に前記コネクタ本体部の前記メイン端子と接して前記二次電池からの電力を前記メイン端子に伝えるメイン電極と、
前記コネクタ挿込口内の最奥部において前記メイン電極と電気的に分離されて設けられ、前記メイン電極を中心とする略円環形状を有し、前記コネクタ挿込口内に挿し込まれた前記コネクタ本体部の前記サブ端子と接するサブ電極と、を備えた電池パック。
【請求項５】
前記サブ電極は、前記コネクタ本体部の前記サブ電極から前記二次電池を充電するための充電電力を受電するための充電電極を含む請求項４に記載の電池パック。
【請求項６】
前記二次電池と前記メイン電極との間に電気的に介在し、前記二次電池からの放電のオン・オフを切り替える放電制御部を備え、
前記サブ電極は、前記コネクタ本体部の前記サブ電極から前記二次電池からの放電をオンにする信号を前記放電制御部に伝達する出力制御電極を含む請求項４に記載の電池パック。
【請求項７】
前記コネクタ挿込口は、前記電気コネクタの前記コネクタ本体部が、前記メイン端子及び前記サブ端子が該コネクタ挿込口の最奥面に押し付けられるまで挿し込まれた状態で、前記コネクタ本体部の中心軸を中心に該コネクタ挿込口とは相対的に回転したときに、前記コネクタ本体部を該コネクタ挿込口内に固定するように構成されている請求項４から６のいずれか一項に記載の電池パック。
【請求項８】
請求項１から３のいずれか一項に記載の電気コネクタが複数設けられ、請求項４から７のいずれか一項に記載の電池パックを複数設置するための電池パック設置部と、
前記電気コネクタに接続された前記電池パックの前記二次電池の出力を外部機器へ出力する出力部と、を備えた電源装置。
【発明の詳細な説明】
【技術分野】
【０００１】
本発明は、例えば二次電池を備えた電池パックに接続するための電気コネクタと、その電気コネクタを使用する電池パックと、その電池パックを用いた電源装置に関するものである。
【背景技術】
【０００２】
例えば携帯電話のバッテリーを充電するための携帯式の電池パックなどは、ケース内部に、二次電池やその二次電池の充放電を制御する制御回路が収容されている。ケースの外面には、携帯電話などの外部機器のコネクタを接続して二次電池の電力をその外部機器に出力する放電用コネクタ接続部と、二次電池を充電するためのコネクタを接続する充電用コネクタ接続部が設けられている（例えば、特許文献１参照。）。
【０００３】
また、電池パックには、未使用時の二次電池の電力消費を防止するために、二次電池からの放電のオン・オフを切り替える出力スイッチがケース外面に設けられていることが一般的である。このような電池パックは、ユーザがその出力スイッチを押したときのみ二次電池からの放電が行なわれるように構成されている。かかる電池パックは、電池パックの放電用コネクタ接続部に外部機器のコネクタを接続しただけでは二次電池からの放電が行われないため、ユーザは電池パックにコネクタを接続した後で出力スイッチを押す必要がある。
【先行技術文献】
【特許文献】
【０００４】
【特許文献１】特開２０１２−２０５３７１号公報
【発明の概要】
【発明が解決しようとする課題】
【０００５】
電池パックに１つのコネクタを接続するだけで、二次電池からの電力出力のほかに、二次電池の充電や二次電池の放電のオン・オフの制御を行なうことができれば、例えば、複数の電池パックを１つのボックスに収容し、それらの電池パックからまとめて大電力を出力したり、それらの電池パックの充電をまとめて行なったりすることも可能になり、便利である。
【０００６】
しかし、従来の電池パックは、放電用のコネクタを通じて二次電池の充電ができるようにはなっておらず、二次電池の充電用に別途コネクタが必要であった。また、二次電池の放電のオン・オフを外部機器から制御できるように構成されているものはなかった。
【０００７】
そこで、本発明は、１つのコネクタを電池パックに接続するだけで、電池パックの二次電池から電力を出力させることのほか、二次電池の充電や放電制御等を行なうことができるようにすることを目的とするものである。
【課題を解決するための手段】
【０００８】
本発明に係る電気コネクタは、電気機器の外面に略円柱形状の凹部として設けられたコネクタ挿込口に挿し込まれる略略円柱形状のコネクタ本体部と、コネクタ本体部の先端面中央部から突起するようにコネクタ本体部に保持されたメイン端子と、コネクタ本体部の先端面のメイン端子を中心とする円周上の位置において、先端面から突起するようにコネクタ本体部に保持されたサブ端子と、を備えたものである。
【０００９】
本発明に係る電池パックは、ケースと、そのケース内に収容された二次電池と、ケース外面に略円柱形状の凹部として設けられ、本発明の電気コネクタのコネクタ本体部を挿入させるコネクタ挿込口と、コネクタ挿込口内の最奥部中央に設けられ、コネクタ挿込口にコネクタ本体部のメイン端子と接して二次電池からの電力をメイン端子に伝えるメイン電極と、コネクタ挿込口内の最奥部においてメイン電極と電気的に分離されて設けられ、メイン電極を中心とする略円環形状を有し、コネクタ挿込口内に挿し込まれたコネクタ本体部のサブ端子と接するサブ電極と、を備えたものである。
【００１０】
本発明に係る電源装置は、本発明の電気コネクタが複数設けられ、本発明の電池パックを複数設置するための電池パック設置部と、前記電気コネクタに接続された電池パックの二次電池の出力を外部機器へ出力する出力部と、を備えたものである。
【発明の効果】
【００１１】
本発明に係る電気コネクタでは、コネクタ本体部の先端面中央部から突起するようにコネクタ本体部に保持されたメイン端子と、コネクタ本体部の先端面のメイン端子を中心とする円周上の位置において、先端面から突起するようにコネクタ本体部に保持されたサブ端子を有するので、この電気コネクタを後述する電池パックに接続するだけで、電池パックから電力を出力させることのほか、電池パック内の二次電池の充電や外部機器からの二次電池の放電のオン・オフ制御などを行なうことができる。
【００１２】
本発明に係る電池パックでは、上記電気コネクタのコネクタ本体部を挿入させるコネクタ挿込口を備え、そのコネクタ挿込口内の最奥部中央に、電気コネクタのメイン端子と接して二次電池からの電力をメイン端子に伝えるメイン電極、及びメイン電極を中心とする略円環形状を有し、電気コネクタのサブ端子と接するサブ電極が設けられているので、上記電気コネクタを接続するだけで、電池パックから電力を出力させることのほか、電池パック内の二次電池の充電や二次電池の出力のオン・オフの制御などを行なうことができる。さらに、電池パックのサブ電極がメイン電極を中心とする略円環形状を有するため、電気コネクタを電池パックに接続する際、サブ端子をサブ電極に接触させるための位置合わせが容易であり、電気コネクタの接続を迅速かつ容易に行なうことができる。
【００１３】
本発明に係る電源装置では、上記電気コネクタを複数備え、電気コネクタに接続された電池パックの二次電池の出力を外部機器へ出力する出力部を備えているので、複数の電池パックを迅速かつ容易に搭載でき、それらの電池パックから電力を出力させるだけでなく、各電池パックに別途コネクタを接続することなく、搭載された電池パック内の二次電池の充電や電池パックからの放電制御をまとめて行なうこともできる。
【図面の簡単な説明】
【００１４】
【図１】一実施例の電池パック及び電気コネクタの外観を示す斜視図である。
【図２】同実施例におけるコネクタ挿込口内の電極パターン基板の一例を示す図であり、（Ａ）は平面図、（Ｂ）は（Ａ）のＸ−Ｘ位置における断面図である。
【図３】同実施例の電気コネクタの外観を示す斜視図である。
【図４】同電気コネクタの内部構造の一例を示す断面図である。
【図５】同実施例の電池パックのコネクタ挿込口に電気コネクタが接続された状態を示す断面図である。
【図６】コネクタ挿込口内の電極パターン基板の他の例を示す平面図である。
【図７】同実施例の電池パックの構成を概略的に示すブロック図である。
【図８】一実施例の電源装置を示す概略構成図である。
【発明を実施するための形態】
【００１５】
本発明に係る電気コネクタにおいて、コネクタ本体部は、該コネクタ本体部の中心軸と平行な方向に弾性変形し、メイン端子及びサブ端子をそれぞれ該コネクタ本体部の先端側へ付勢しながら支持する弾性部材を備え、メイン端子及びサブ端子の先端は、コネクタ本体部の中心軸と平行な方向に変位可能であることが好ましい。そうすれば、コネクタ本体部の先端がコネクタ挿込口に挿し込まれ、メイン端子及びサブ端子が相手側電極に押し付けられたときに、弾性部材の弾性力によってメイン端子及びサブ端子が相手側電極側へ常時付勢された状態になり、端子と電極の間の確実な接触が維持される。
【００１６】
さらに、コネクタ本体部は、メイン端子及びサブ端子がコネクタ挿込口の最奥面に押し付けられるまでコネクタ挿込口内に挿し込まれた状態で、その中心軸を中心にコネクタ挿込口とは相対的に回転したときに、コネクタ挿込口内に固定されるように構成されていることが好ましい。これにより、コネクタ本体部をコネクタ挿込口とは相対的に回転させるだけで、コネクタ本体部をコネクタ挿込口の最奥部まで挿し込んだ状態で固定することができ、該電気コネクタの接続が容易になる。
【００１７】
上記のように、コネクタ本体部をコネクタ挿込口とは相対的に回転させることによって電気コネクタを電池パックに固定する方式では、コネクタ本体部を回転させたときにサブ端子が円弧を描くように移動する。本発明に係る電池パックのサブ電極はメイン電極を中心とする略円環形状を有するため、ユーザは、サブ端子とサブ電極の位置合わせを特に気にすることなく、コネクタ本体部とコネクタ挿込口とを相対的に回転させて電気コネクタと電池パックとを固定することができる。したがって、電池パックに対する電気コネクタの装着が容易である。
【００１８】
本発明に係る電池パックの好ましい実施態様の一つとして、サブ電極は、コネクタ本体部のサブ電極から二次電池を充電するための充電電力を受電するための充電電極を含んでいる例が挙げられる。サブ電極が充電電極を含むことにより、本発明の電気コネクタを接続するだけで、二次電池からの電力の出力と二次電池の充電を行なうことができる。
【００１９】
また、本発明に係る電池パックが、二次電池とメイン電極との間に電気的に介在し、二次電池からの放電のオン・オフを切り替える放電制御部を備えている場合には、サブ電極が、コネクタ本体部のサブ電極から二次電池からの放電をオンにする信号を放電制御部に伝達する出力制御電極を含んでいることが好ましい。そうすれば、本発明の電気コネクタを用いて外部機器を接続したときに、外部機器から放電をオンにする信号を放電制御部に送信することで、外部機器を通じて電池パックからの放電のオン・オフを制御することができる。
【００２０】
本発明に係る電池パックにおけるコネクタ挿込口は、電気コネクタのコネクタ本体部が、メイン端子及びサブ端子が該コネクタ挿込口の最奥面に押し付けられるまで挿し込まれた状態で、コネクタ本体部の中心軸を中心に該コネクタ挿込口とは相対的に回転したときに、コネクタ本体部を該コネクタ挿込口内に固定するように構成されていることが好ましい。そうすれば、電気コネクタのコネクタ本体部をコネクタ挿込口の最奥部まで挿し込んでから両者を相対的に回転させるだけで、電気コネクタと電池パックとの固定を容易に行なうことができる。
【００２１】
以下、電池パックとその電池パックに接続するコネクタの一実施例について、図面を用いて説明する。
【００２２】
図１に示されているように、電池パック２は、一端側（図において下端側）の外径が細く絞られた円筒形状のケース３を有する。ケース３の内部に二次電池５０や二次電池５０の充放電を制御する制御部５２（図７参照）をなす回路等が収容されている。ケース３の一端面側に、円柱形上の凹部からなるコネクタ挿込口４が設けられている。
【００２３】
コネクタ挿込口４の最奥部中央にメイン電極としての放電用電極６が設けられ、さらにその放電用電極６の先端部の周囲を囲うように、円盤状の電極基板８が設けられている。放電電極６は、電池パック２内の二次電池５０（図７参照）の電力を外部機器へ出力するための電極である。電極基板８には、放電電極６とは別の２つの電極が設けられている。コネクタ挿込口４には、電気コネクタ１４のコネクタ本体部２２を挿し込むことができ、放電電極６及び他の２つの電極は、コネクタ本体部２２の先端面に設けられた３つの端子２６、２８及び３０のそれぞれと接触をとることができる。
【００２４】
図２に示されるように、電極基板８は、絶縁性の基板の中央部に放電用電極６を貫通させる孔１６を有するとともに、電極基板８の一方の表面には、孔１６を中心とする円環形状の電極１８と電極１８と同心円環形状で電極１８よりも内径が大きい電極２０が、それぞれサブ電極として設けられている。これらのサブ電極１８、２０は互いに離れて絶縁状態に配置され、それぞれは電極基板８の反対側表面に設けられた端子１９、２１と導通しており、ケース３内に設けられた所定の回路と接続されている。電池パック２内の回路構成については後述する。
【００２５】
電気コネクタ１４は、図３に示されているように、円板形状のフランジ部２４と、フランジ部よりも外形の小さい略略円柱形状のコネクタ本体部２２からなる。コネクタ本体部２２の外径は、電池パック２のコネクタ挿込口４の内径よりも僅かに小さく設計されており、コネクタ本体部２２がコネクタ挿込口４に挿し込まれたときに、コネクタ本体部２２の中心軸がコネクタ挿込口４の中心軸と略一致するようになっている。
【００２６】
コネクタ本体部２２の先端面中央部において、電池パック２の放電電極６からの電力を受電するメイン端子としての受電端子２６の先端部が突起している。コネクタ本体部２２の先端面における受電端子２６を中心とする円周上の位置において、端子２８の先端部が突起しており、さらに、端子２８よりも外側の円周上の位置に端子３０の先端部が突起している。端子２８及び３０はサブ端子として設けられている。
【００２７】
この実施例において、電極基板８の電極１８は二次電池５０（図７参照）の充電用の電力を受電する充電電極であり、電極２０は二次電池５０からの放電のオン・オフを制御するための信号を受ける出力制御電極である。電気コネクタ１４の端子２８は、充電電極１８と接触して充電電極１８に充電用電力を供給する充電端子である。電気コネクタ１４の端子３０は、出力制御電極２０と接触して出力制御電極２０を通じて電池パック２の出力スイッチ回路５６（図７参照）に出力制御信号を送信する出力制御端子である。
【００２８】
コネクタ本体部２２の側面に開口２３が設けられており、その開口２３から板バネ形状のマイナス側電極３２が略円弧上に突起している。マイナス側電極３２の一端（図において下端側）は自由端になっており、コネクタ本体部２２がコネクタ挿込口４内に挿し込まれたときに、コネクタ挿込口４の内周面を形成するマイナス側電極４６（図５参照）と接して弾性変形するとともに、その弾性力によって常にマイナス側電極４６との接触を維持する。
【００２９】
なお、この実施例では、電気コネクタ１４の各端子２６、２８及び３０が一直線上に並んで配置されているが、本発明はこれに限定されるものではなく、端子２８及び３０は、電極基板８の略円環形状の電極１８及び２０に対応した円周上の位置に配置されていればよい。
【００３０】
電気コネクタ４の内部には、図４に示されているように、各端子２６、２８及び３０をその軸方向にスライド可能に保持する保持部３６とコイルバネ３８、４０及び４２が設けられている。コイルバネ３８は、端子２６の先端側に固定されたリング２７と保持部３６の間に、自然長又は圧縮状態で挿入されている。コイルバネ４０は、端子２８の先端側に固定されたリング２９と保持部３６の間に、自然長又は圧縮状態で挿入されている。コイルバネ４２は、端子３０の先端側に固定されたリング３１と保持部３６の間に、自然長又は圧縮状態で挿入されている。これにより、端子２６、２８及び３０はコイルバネ３８、４０及び４２の弾性力によって、常にコネクタ本体部２２の先端側へ付勢されている。
【００３１】
コネクタ本体部２２の基端側に、コネクタ本体部２２の周方向へ突起した突起部３４が、周方向において均等な３か所の位置に設けられている。突起部３４は、電池パック２の開口に設けられた３か所の溝４ａ（図１参照）を通過するものであり、突起部３４が溝４ａを通過するまでコネクタ本体部２２をコネクタ挿込口４に挿し込んだ後、電池パック２と電気コネクタ１４を相対的に回転方向へずらすことで、電池パック２の開口の縁４ｂと突起３４とが係合し、電気コネクタ１４のコネクタ本体部２２がコネクタ挿込口４に挿し込まれた状態で固定されるようになっている。
【００３２】
図５に、電池パック２のコネクタ挿込口４に電気コネクタ１４を接続した状態を示す。
【００３３】
電池パック２のケース３内に固定板４４が設けられており、その固定板４４に電極基板８と円筒形状のマイナス側電極４６が取り付けられている。電極基板８は、電極１８及び２０が設けられている面が開口側を向くように取り付けられており、その中心に放電電極６の先端が配置されている。マイナス側電極４６はコネクタ挿込口４の内側壁面を構成している。
【００３４】
コネクタ挿込口４に電気コネクタ１４を接続する際は、コネクタ本体部２２をコネクタ挿込口４に挿し込み、突起３４がコネクタ挿込口４の縁の溝４ａよりも奥に入った状態で、電気コネクタ１４と電池パック２を相対的に回転させ、コネクタ挿込口４の開口部の縁４ｂと突起部３４とを係合させる。電池パック２と電気コネクタ１４とが固定されたときに、端子２６の先端は圧縮状態となったコイルバネ３８によって放電電極６に押し付けられ、端子２８の先端は圧縮状態となったコイルバネ４０によって電極１８に押し付けられ、端子３０の先端は圧縮状態となったコイルバネ４２によって電極２０に押し付けられた状態となる。電極基板８の各電極１８及び２０は円環形状を有するため、電気コネクタ１４を電池パック２に対して相対的に回転させても、端子２８及び３０との接触が維持される。
【００３５】
電極１８と端子２８、電極２０と端子３０は、電気コネクタ１４がコネクタ挿込口４に挿し込まれた直後は接触している必要はなく、電池パック２と電気コネクタ１４が相対的に回転させられて両者が固定されたときに接触していればよいため、電池パック２の電極基板８に代えて、図６に示されるような、変形した略円環形状の電極１８ａ、２０ａを有する電極基板８ａを用いてもよい。電極基板８ａは、充電電極１８ａと出力制御電極２０ａとの間に絶縁性のレジストが塗布されることによって表面が平坦化されている。充電電極１８ａは、電気コネクタ１４を、突起３４の位置とコネクタ挿込口４の開口部の溝４ａの位置に合わせてコネクタ挿込口４に挿し込んだときには、充電端子２８が充電電極１８ａには接触せずにレジスト部分に接触し、電気コネクタ１４を電池パック２とは相対的に回転させて固定したときに、充電端子２８が充電電極１８ａに接触するようなパターンに形成されている。これにより、電池パック２に電気コネクタ１４が完全に接続されていない状態で充電端子２８と充電電極１８ａが接触することを防止し、電気コネクタ１４をコネクタ挿込口４に挿し込んだ際の火花の発生等が防止される。
【００３６】
図１に戻って説明を続けると、電池パック２のケース３の外面に、出力スイッチ１０と充電用コネクタ接続部１２が設けられている。出力スイッチ１０は、ユーザがこの出力スイッチ１０を押すことによって、二次電池５０（図７参照）からの放電をオフ状態からオン状態に切り替えるためのものである。充電用コネクタ接続部１２は、二次電池５０の充電用の電力を供給するコネクタを接続するためのものである。
【００３７】
この電池パック２は、電気コネクタ１４を用いることによって、電気コネクタ１４を介して、二次電池５０（図７参照）から外部機器への電力出力と二次電池５０の充電、外部機器を通じた二次電池５０の放電のオン・オフ制御を行なうことができる。さらに、コネクタ挿込口４は、例えばシガープラグなど、先端中央部にのみ端子を有する汎用の電気コネクタを接続することもでき、ユーザは、コネクタ挿込口４に汎用の電気コネクタを接続して出力スイッチ１０を押すことで、二次電池５０の電力を外部機器に出力することもできる。
【００３８】
図７を用いて、電池パック２内の回路構成の一例について説明する。
【００３９】
コネクタ挿込口４の放電電極６及び充電電極１８は、充放電スイッチ部５４を介して二次電池５０と接続されている。二次電池５０は、例えばリチウムイオン電池やニッケル水素電池などである。充電用コネクタ接続部１２の充電電極６２も充放電スイッチ部５４を介して二次電池５０と接続されている。コネクタ挿込口４の出力制御電極２０は出力スイッチ回路５６に接続されている。コネクタ挿込口４のマイナス側電極４６と充電用コネクタ接続部１２のマイナス側電極６４は電流検出部６０を介して二次電池５０に接続されている。
【００４０】
充放電スイッチ部５４は、二次電池５０からの充放電のオン・オフを切り替える回路である。電流検出部６０は二次電池５０の放電電流又は充電電流を検出するものであり、検出された電流値は制御部５２に取り込まれる。制御部５２は、電流検出部６０において検出される電流検出値と、出力スイッチ回路５６からの信号に基づいて、充放電スイッチ部５４の切替えを制御する。
【００４１】
出力スイッチ回路５６は、ケース３の外面の出力スイッチ１０が押されたとき、又は出力制御電極２０を通じて出力をオンにする信号が入力されたときに、制御部５２に二次電池５０の放電をオンにする信号を送るように構成されている。制御部５２は、出力スイッチ回路５６から二次電池５０の放電をオンにする信号を受け取ったときに、充放電スイッチ部５４を介して二次電池５０からの放電をオフ状態からオン状態に切り替える。
【００４２】
制御部５２は、二次電池５０の電圧状態や充放電状態の情報に基づいて、ケース３の外面に設けられた表示部５８に所定の表示を行なう。表示部５８としては、例えば出力スイッチ１０の周囲等に設けられた発光ダイオード等が挙げられる。また、制御部５２は、電流検出部６０からの電流情報に基づいて二次電池５０の残量を算出し、残量算出結果を表示部５８に表示する。
【００４３】
次に、上記実施例において説明した電池パック２及び電気コネクタ１４を用いた電源装置について説明する。
【００４４】
電源装置６６は、複数の電池パック２を設置する設置部を備え、その設置部に複数の電気コネクタ１４を備えている。各電気コネクタ１４は共通の制御部６８を介して入出力部７０に接続されている。制御部６８には、ユーザが外部から操作するための操作部７２が接続されている。
【００４５】
入出力部７０は、例えばユニバーサルシリアルバス（ＵＳＢ）端子やシガープラグなど、汎用の接続端子を接続することが可能な出力部と、電気コンセント等を介して充電用電力を入力可能な入力部を備えている。
【００４６】
制御部６８と各電池パック２は電気コネクタ１４を介して接続されていることにより、各電池パック２からの出力制御だけでなく、各電池パック２の二次電池５０の充電制御や二次電池５０からの放電のオン・オフの切替制御も行なうことができる。例えば、ユーザが外部機器を入出力部７０に接続して大電力を出力させたい場合には、ユーザが各電池パック２の出力スイッチ１０を押さなくても、操作部７２を介して電力出力を指示する信号を入力するだけで、制御部６８から各電池パック２の二次電池５０の放電をオンにする信号が発信され、各電池パック２から電力を出力させることができる。
【符号の説明】
【００４７】
２      電池パック
３      ケース
４      コネクタ挿込口
４ａ      コネクタ挿込口の開口部の溝
４ｂ      コネクタ挿込口の開口部の縁
６      放電電極（メイン電極）
８，８ａ      電極基板
１０      出力スイッチ
１２      充電用コネクタ接続部
１４      電気コネクタ
１６      孔
１８，１８ａ，６２      充電電極（サブ電極）
１９，２１      端子
２０，２０ａ      出力制御電極（サブ電極）
２２      コネクタ本体部
２４      フランジ部
２６      受電端子（メイン端子）
２８      充電端子（サブ端子）
３０      出力制御端子（サブ端子）
３２      マイナス側端子
３４      突起部
３８，４０，４２      コイルバネ（弾性部材）
４６，６４      マイナス側電極
５０      二次電池
５２      制御部
５４      充放電スイッチ部
５６      出力スイッチ回路
５８      表示部
６０      電流検出部
６６      電源装置
６８      制御部（電源装置）
７０      入出力部
７２      操作部
【図１】
2016213032.tif 000003
【図２】
2016213032.tif 000004
【図３】
2016213032.tif 000005
【図４】
2016213032.tif 000006
【図５】
2016213032.tif 000007
【図６】
2016213032.tif 000008
【図７】
2016213032.tif 000009
【図８】
2016213032.tif 000010